(57)【要約】【課題】遮炎部材の設置作業を容易化することが可能な建具を実現することにある。【解決手段】合成樹脂製の開口枠と、前記開口枠に対してスライド可能に設けられる障子と、を有し、前記開口枠は、外周側に形成された外周部と、当該外周部よりも内周側に中空部を備え、前記外周部には、躯体に保持される不燃性または難燃性の補強部材が設けられ、前記中空部には、不燃性または難燃性の遮炎部材が設けられ、前記中空部の外部には、前記補強部材または前記躯体に連結された支持部材が、設けられ、前記遮炎部材は、前記支持部材によって支持されていることを特徴とする。【選択図】図１
2015197008.tif 000002
【特許請求の範囲】
【請求項１】
合成樹脂製の開口枠と、
前記開口枠に対してスライド可能に設けられる障子と、を有し、
前記開口枠は、
外周側に形成された外周部と、当該外周部よりも内周側に中空部を備え、
前記外周部には、躯体に保持される不燃性または難燃性の補強部材が設けられ、
前記中空部には、不燃性または難燃性の遮炎部材が設けられ、
前記中空部の外部には、前記補強部材または前記躯体に連結された支持部材が、設けられ、
前記遮炎部材は、前記支持部材によって支持されていることを特徴とする建具。
【請求項２】
請求項１に記載の建具であって、
前記支持部材は、
前記中空部に挿入されて前記遮炎部材と係合する突出部を備えることを特徴とする建具。
【請求項３】
請求項１又は請求項２に記載の建具であって、
前記中空部は、前記障子のスライド方向に形成され、前記障子が案内されるレールであり、
前記開口枠と前記障子には、それぞれ開口枠吊り金具と障子吊り金具とが設けられており、
前記開口枠吊り金具は、上方に開放した開口枠吊り金具フック部を有し、前記開口枠吊り金具フック部は底部と当該底部より連続して形成され、上方に立ち上がる、立ち上がり片を有し、
前記障子吊り金具は、下方に開放した障子吊り金具フック部を有し、前記障子吊り金具フック部は、上部と当該上部より連続して形成され、下方に垂れ下がる、垂れ下がり片を有し、
前記立ち上がり片は、前記上部と上下方向において対向し、前記垂れ下がり片は、前記底部と上下方向において対向し、
前記支持部材は、前記開口枠吊り金具であることを特徴とする建具。
【請求項４】
請求項３に記載の建具であって、
前記開口枠吊り金具は、
前記レールの鉛直外面に設けられた凹部に、配置される部分を有することを特徴とする建具。
【請求項５】
請求項３又は請求項４に記載の建具であって、
前記開口枠吊り金具は、
前記レールに挿入されて前記遮炎部材と係合し、かつ、斜め上方向へ突出している突出部を備えることを特徴とする建具。
【発明の詳細な説明】
【技術分野】
【０００１】
本発明は、建具に関する。特に、合成樹脂製の開口枠と、当該開口枠に対してスライド可能に設けられる障子と、を有する建具に関する。
【背景技術】
【０００２】
合成樹脂製の開口枠と、当該開口枠に対してスライド可能に設けられる障子と、を有する建具は、既によく知られている。このような建具の中には、外周側に形成された外周部と当該外周部よりも内周側に位置する中空部が、開口枠に備えられるものがある。そして、かかる建具においては、防火性能を確保するため、当該中空部に不燃性または難燃性の遮炎部材を設ける場合がある。
【先行技術文献】
【特許文献】
【０００３】
【特許文献１】特開２００５−３５１００９号公報
【発明の概要】
【発明が解決しようとする課題】
【０００４】
従来は、中空部に遮炎部材を設ける際に、当該中空部の内部において遮炎部材をネジ止めしていた。すなわち、遮炎部材は、中空部内のネジにより支持されていた。そして、このような場合には、中空部内の狭いスペースにおける作業が必要となるため、作業性が悪かった。
【０００５】
本発明は、かかる課題に鑑みてなされたものであり、その目的とするところは、遮炎部材の設置作業を容易化することが可能な建具を実現することにある。
【課題を解決するための手段】
【０００６】
かかる目的を達成するために本発明の建具は、合成樹脂製の開口枠と、
前記開口枠に対してスライド可能に設けられる障子と、を有し、
前記開口枠は、
外周側に形成された外周部と、当該外周部よりも内周側に中空部を備え、
前記外周部には、躯体に保持される不燃性または難燃性の補強部材が設けられ、
前記中空部には、不燃性または難燃性の遮炎部材が設けられ、
前記中空部の外部には、前記補強部材または前記躯体に連結された支持部材が、設けられ、
前記遮炎部材は、前記支持部材によって支持されていることを特徴とする建具である。
【０００７】
このような建具によれば、中空部内の狭いスペースにおいて、遮炎部材を設置する作業を行う必要がなくなる。そのため、遮炎部材の設置作業が容易化されることとなる。
【０００８】
かかる建具であって、前記支持部材は、
前記中空部に挿入されて前記遮炎部材と係合する突出部を備えることが望ましい。
【０００９】
このような建具によれば、当該突出部により遮炎部材が適切に支持されることとなる。
【００１０】
かかる建具であって、前記中空部は、前記障子のスライド方向に形成され、前記障子が案内されるレールであり、
前記開口枠と前記障子には、それぞれ開口枠吊り金具と障子吊り金具とが設けられており、
前記開口枠吊り金具は、上方に開放した開口枠吊り金具フック部を有し、前記開口枠吊り金具フック部は底部と当該底部より連続して形成され、上方に立ち上がる、立ち上がり片を有し、
前記障子吊り金具は、下方に開放した障子吊り金具フック部を有し、前記障子吊り金具フック部は、上部と当該上部より連続して形成され、下方に垂れ下がる、垂れ下がり片を有し、
前記立ち上がり片は、前記上部と上下方向において対向し、前記垂れ下がり片は、前記底部と上下方向において対向し、
前記支持部材は、前記開口枠吊り金具であることが望ましい。
【００１１】
このような建具によれば、開口枠吊り金具に、障子を吊り下げる機能だけでなく、遮炎部材を支持する機能も持たせることができ、支持専用部材を省略することが可能となる。そのため、コストメリットが生ずることとなる。
【００１２】
かかる建具であって、前記開口枠吊り金具は、
前記レールの鉛直外面に設けられた凹部に、配置される部分を有することが望ましい。
【００１３】
このような建具によれば、レールと開口枠吊り金具との段差が最小限に抑えられ、障子のレール対する摺動動作がよりスムーズなものとなる。
【００１４】
かかる建具であって、前記開口枠吊り金具は、
前記レールに挿入されて前記遮炎部材と係合し、かつ、斜め上方向へ突出している突出部を備えることが望ましい。
【００１５】
このような建具によれば、レールが火災に晒されて溶融し、遮炎部材に重力方向（下方向）の力がかかったとしても、突出部が遮炎部材を適切に受け止めるため、落下を防止することが可能となる。
【発明の効果】
【００１６】
本発明によれば、遮炎部材の設置作業を容易化することが可能な建具を実現することができる。
【図面の簡単な説明】
【００１７】
【図１】樹脂製建具１０に係る上枠３０の周辺構成を説明するための縦断面図である。
【図２】樹脂製建具１０に係る縦枠３５の周辺構成を説明するための縦断面図である。
【図３】上枠３０を斜め下方から見上げたときの斜視図である。
【図４】図３から上枠用吊り金具３４を外したときの分解斜視図である。
【図５】図４からレール内遮炎金具３３を外したときの分解斜視図である。
【発明を実施するための形態】
【００１８】
＝＝＝本実施の形態に係る樹脂製建具１０について＝＝＝
本実施の形態に係る樹脂製建具１０（建具に相当）について、図１乃至図５を用いて説明する。図１は、樹脂製建具１０に係る上枠３０の周辺構成を説明するための縦断面図である。図２は、樹脂製建具１０に係る縦枠３５の周辺構成を説明するための縦断面図である。図３は、上枠３０を斜め下方から見上げたときの斜視図である。図４は、図３から上枠用吊り金具３４を外したときの分解斜視図である。図５は、図４からレール内遮炎金具３３を外したときの（換言すれば、ずらしたときの）分解斜視図である。
【００１９】
なお、以下の説明においては、樹脂製建具１０を室内側から見たときに、上下となる方向を上下方向、左右となる方向を左右方向、室内外方向である奥行き方向を見込み方向として示す。
【００２０】
樹脂製建具１０は、引違い窓用の合成樹脂製の建具であり、開口枠の一例としての枠体２０と、障子４０と、を有している。以下、枠体２０と障子４０について、詳しく説明する。
【００２１】
＜＜＜枠体２０について＞＞＞
枠体２０は、合成樹脂製であり、上枠３０（図１参照）と下枠（不図示）と左右の（二つの）縦枠３５（図２参照）とを備えている。そして、枠体２０は、これら４つの枠体が矩形状に枠組みされて、全体として開口を形成している。上枠３０と下枠は、左右方向に延びた長尺状の部材であり、縦枠３５は、上下方向に延びた長尺状の部材である。
【００２２】
枠体２０は、外周側に形成された外周部の一例としての枠体本体２０ａと、当該枠体本体２０ａよりも内周側に位置し、かつ、当該枠体本体２０ａから突き出た中空の中空凸部２２（中空部に相当）と、を備えている。
【００２３】
中空凸部２２は、後述する障子４０（外障子４０ａ及び内障子４０ｂ）の框体５０に入り込むように当該框体５０に向かって突き出た中空の部分である。なお、図１に示すように、上枠３０の中空凸部２２は、レール３２となっており、図２に示すように、縦枠３５の中空凸部２２は、ヒレ部３７となっている。
前記中空部は、前記障子のスライド方向に形成され、前記障子が案内されるレールであり、
【００２４】
すなわち、上枠３０は、上枠本体３０ａと、当該上枠本体３０ａから突き出た中空のレール３２と、を備えている。そして、当該レール３２は、図１に示すように、障子４０の上框５２に入りこむように当該上框５２に向かって下方向へ突出している。そして、このことにより、当該レール３２は、障子４０（上框５２）を案内する役割を果たすようになっている。つまり、レール３２は、障子４０のスライド方向に形成され、障子４０が案内される部材である。このレール３２は、図３乃至図５に示すように、上枠３０の左右方向における一端（左端）から他端（右端）に亘って設けられている。また、レール３２の鉛直断面は、上下方向の辺が左右方向の辺よりも長い矩形形状を備えている（上下方向の辺が長辺となっており、左右方向の辺が短辺となっている）。
【００２５】
なお、レール３２は、外障子４０ａ及び内障子４０ｂの各々に対応して２つ設けられている。すなわち、外障子４０ａを案内するための外障子用レール３２ａと内障子４０ｂを案内するための内障子用レール３２ｂとが備えられている。外障子用レール３２ａと内障子用レール３２ｂは、見込み方向において、並んで設けられている。外障子用レール３２ａは、室外側に、内障子用レール３２ｂは、室内側に、それぞれ位置している。
【００２６】
また、レール３２（中空凸部２２）の中空内部３２ｄには、不燃性または難燃性の遮炎部材の一例としてのレール内遮炎金具３３が設けられている。このレール内遮炎金具３３は、金属製（アルミニウム製）の金具であり、火災の際に火炎を遮る機能を備えると共に、レール３２の内部においてレール３２を補強する役割も果たす。
【００２７】
このレール内遮炎金具３３は、レール３２（上枠３０）の左右方向における端から中央に亘って設けられている。より具体的には、外障子用レール３２ａにおいては、レール内遮炎金具３３は、外障子用レール３２ａ（上枠３０）の一端（左端）から中央に亘って設けられ、内障子用レール３２ｂにおいては、レール内遮炎金具３３は、内障子用レール３２ｂ（上枠３０）の他端（右端）から中央に亘って設けられている。
【００２８】
なお、図２に示すように、障子４０が閉まった状態で、外障子４０ａは、上枠３０の一端（左端）から中央に対応した位置に位置し、内障子４０ｂは、上枠３０の他端（右端）から中央に対応した位置に位置する。したがって、レール内遮炎金具３３は、閉まった状態の外障子４０ａの上方と、閉まった状態の内障子４０ｂの上方と、にそれぞれ位置していると言える。
【００２９】
また、レール内遮炎金具３３の鉛直断面は、図１及び図５に示すように、コの字型を有している。そして、当該鉛直断面の長手方向が、上下方向（換言すれば、レール３２の長辺の方向）に沿った状態で、レール内遮炎金具３３はレール３２内に収容されている。
【００３０】
なお、図１に示すように、レール内遮炎金具３３は、外障子用レール３２ａと内障子用レール３２ｂの各々に設けられている。また、レール内遮炎金具３３は、支持部材により支持されているが、この点については、後に詳述する。
【００３１】
また、レール３２の中空内部３２ｄには、加熱発泡材７０が設けられている。この加熱発泡材７０は、火災の際に火炎に晒されると膨張して、その体積が大きくなる。そして、このことにより、隙間を埋め、火炎の通り道を塞ぐことができる。また、図１に示すように、この加熱発泡材７０は、レール内遮炎金具３３の見込み方向における両側に設けられており、レール内遮炎金具３３を火炎から保護する（つまり、断熱する）役割も果たす。
【００３２】
また、レール３２の鉛直外面３２ｃ（つまり、レール３２の外側の鉛直面）には、開口枠吊り金具の一例としての上枠用吊り金具３４（図１において、斜線が施された部材）が埋め込まれ、かかる状態で上枠用吊り金具３４が上枠３０（具体的には、上枠本体３０ａ）に固定されている。
【００３３】
上枠用吊り金具３４は、火災の際に障子４０に係合して障子４０を吊り下げるためのものである。すなわち、上枠用吊り金具３４は、火災の際に枠体２０や障子４０の樹脂部分が火炎に晒されて溶融しても障子４０が倒れない（崩落しない）ようにするためのものである。上枠用吊り金具３４は、当該樹脂部分が溶融した際に、障子４０（特に、後述する上框用吊り金具５４）に係合する（引っかかる）ようになっている。この上枠用吊り金具３４は、金属製（ステンレス製）の金具である。
【００３４】
この上枠用吊り金具３４は、図３乃至図５に示すように、１つのレール３２に対して２つ設けられており、２つの上枠用吊り金具３４は、レール３２の左右方向における端部の位置とレール３２の左右方向における中央よりやや外側の位置に備えられている（これらの位置で、レール３２に埋め込まれている）。より具体的には、外障子用レール３２ａにおいては、上枠用吊り金具３４（外障子対応吊り金具３４ａと呼ぶ）は、外障子用レール３２ａの一端部（左端部）と中央よりやや左寄りにそれぞれ設けられ、内障子用レール３２ｂにおいては、上枠用吊り金具３４（内障子対応吊り金具３４ｂと呼ぶ）は、内障子用レール３２ｂの他端部（右端部）と中央よりやや右寄りにそれぞれ設けられている。このように、外障子対応吊り金具３４ａは、内障子対応吊り金具３４ｂよりも左右方向において左側に備えられている。また、外障子対応吊り金具３４ａは、見込み方向において室外側に、内障子対応吊り金具３４ｂは、見込み方向において室内側に、それぞれ設けられている。
【００３５】
また、レール内遮炎金具３３との関係で言えば、前述した通り、外障子用レール３２ａにおいては、レール内遮炎金具３３は、外障子用レール３２ａ（上枠３０）の一端（左端）から中央に亘って設けられ、内障子用レール３２ｂにおいては、レール内遮炎金具３３は、内障子用レール３２ｂ（上枠３０）の他端（右端）から中央に亘って設けられている。そのため、上枠用吊り金具３４は、レール内遮炎金具３３の左右方向における両端部に対応するように設けられていることとなる。
【００３６】
上枠用吊り金具３４は、図１及び図４に示すように、被固定部１０２と、埋め込まれ部１０４（埋め込まれた部分に対応）と、開口枠吊り金具フック部の一例としてのフック部１０６と、突出部１０８と、を有している。
【００３７】
被固定部１０２は、上枠用吊り金具３４が固定される（取り付けられる）薄板状部分である。この被固定部１０２は、その面外方向が上下方向に沿った状態で裏面が上枠本体３０ａと接触している。そして、被固定部１０２は、この状態で上枠本体３０ａにネジによりネジ止め（ネジ固定）されている。
【００３８】
ここで、上枠用吊り金具３４の中には、前述したとおり、外障子対応吊り金具３４ａと内障子対応吊り金具３４ｂがあるが、双方で固定の方法が若干異なっている。
【００３９】
外障子対応吊り金具３４ａについて、先ず説明する。
【００４０】
図１に示すように、上枠本体３０ａにも、不燃性又は難燃性の補強部材の一例としての遮炎金具（本体内遮炎金具３１と呼ぶ）が設けられている。すなわち、上枠本体３０ａには、レール３２と同様、中空部分が備えられており、この中空部分にも、レール３２と同様、本体内遮炎金具３１が設けられている。そして、外障子対応吊り金具３４ａの被固定部１０２は、上枠本体３０ａにネジ（第一ネジ８０と呼ぶ）によりネジ止めされているが、同時に本体内遮炎金具３１にも当該第一ネジ８０によりネジ止めされている。つまり、外障子対応吊り金具３４ａは、本体内遮炎金具３１に連結されている。
【００４１】
そして、本体内遮炎金具３１は、躯体９０に第二ネジ８２によりネジ止めされている（躯体９０に保持されている）。このように、外障子対応吊り金具３４ａは、上枠本体３０ａに固定されると共に、本体内遮炎金具３１を介して躯体９０にも固定されている。このように、上枠用吊り金具３４を上枠本体３０ａだけでなく躯体９０にも固定するようにしたのは、火災の際に樹脂製の枠体２０が火炎に晒されて溶融しても、上枠用吊り金具３４が外れず、上枠用吊り金具３４の機能が損なわれないようにするためである。
【００４２】
なお、本実施の形態に係る本体内遮炎金具３１は、第一本体内遮炎金具３１ａと第二本体内遮炎金具３１ｂに分かれている。そして、双方は、第三ネジ８４で連結されている。
【００４３】
一方、内障子対応吊り金具３４ｂは、外障子対応吊り金具３４ａと同様、上枠本体３０ａに固定されると共に、躯体９０にも固定されているが、外障子対応吊り金具３４ａとは異なり、本体内遮炎金具３１を介さずに、直接躯体９０に固定されている。つまり、内障子対応吊り金具３４ｂは、躯体９０に連結されている。
【００４４】
すなわち、図１に示すように、内障子対応吊り金具３４ｂの被固定部１０２は、上枠本体３０ａに第四ネジ８６によりネジ止めされているが、第四ネジ８６よりも長い別の第五ネジ８８により躯体９０にも直接的にネジ止めされている。このように、内障子対応吊り金具３４ｂについては、内障子対応吊り金具３４ｂが躯体９０から近い位置にあることを利用して、躯体９０に直接固定するようにしたため、内障子対応吊り金具３４ｂがより一層外れにくくなり、内障子対応吊り金具３４ｂの機能をより確実に発揮させることが可能となる。
【００４５】
埋め込まれ部１０４は、レール３２に埋め込まれる（より具体的には、レール３２の鉛直外面３２ｃに埋め込まれる）薄板状部分である。この埋め込まれ部１０４は、前記被固定部１０２と隣接し、かつ、前記被固定部１０２とは略９０度の角度を成した状態で被固定部１０２よりも下方に位置している。この埋め込まれ部１０４は、その面外方向が見込み方向に沿った状態で鉛直外面３２ｃに埋め込まれている。
【００４６】
レール３２の鉛直外面３２ｃには、図４に示すように、埋め込まれ部１０４を収めるための切り欠き３２ｅ（凹部に相当）が設けられており、当該切り欠き３２ｅに埋め込まれ部１０４が配置されている（収容されている）。そのため、レール３２と上枠用吊り金具３４との段差が最小限に抑えられ、障子４０のレール３２対する摺動動作がよりスムーズなものとなる。さらに、本実施の形態においては、切り欠き３２ｅに埋め込まれ部１０４が埋め込まれた結果、鉛直外面３２ｃと埋め込まれ部１０４が同面に位置している。すなわち、レール３２の鉛直外面３２ｃの見込み方向における位置が埋め込まれ部１０４のおもて面の見込み方向における位置と同じになるように、埋め込まれ部１０４が設けられている。そのため、レール３２と上枠用吊り金具３４との段差がなくなり、障子４０のレール３２対する摺動動作がより一層スムーズなものとなる。
【００４７】
なお、本実施の形態においては、埋め込まれ部１０４を収めるための凹部は切り欠き３２ｅであるが、例えば、溝部であっても構わない。
【００４８】
フック部１０６は、火災の際に障子４０を引っ掛けて障子４０を吊り下げるための上方に開放した薄板状部分である。このフック部１０６は、前記埋め込まれ部１０４と隣接し、かつ、前記埋め込まれ部１０４とは略９０度の角度を成した状態で埋め込まれ部１０４よりも室内側に位置している。
【００４９】
このフック部１０６は、障子４０を適切に引っ掛けることができるようにするため、面外方向（つまり、底部１０６ａの面外方向）が上下方向に沿った底部１０６ａ、及び、当該底部１０６ａより連続して形成され、上方に立ち上がる、立ち上がり片１０６ｂ（すなわち、立ち上がり片１０６ｂは、底部１０６ａを上方へ折り曲げた、面外方向（つまり、立ち上がり片１０６ｂの面外方向）が見込み方向に沿った折り曲げ部分である）を備えている。なお、本実施の形態においては、図１に示すように、底部１０６ａが、面外方向が上下方向に沿った平面状の部分となっているが、これに限定されるものではなく、例えば、曲面状の部分であってもよい。
【００５０】
突出部１０８は、レール内遮炎金具３３を支持するための薄板状部分である。この突出部１０８は、レール内遮炎金具３３を適切に支持するために、中空凸部２２（レール３２）に挿入されてレール内遮炎金具３３と係合する。図１に示すように、この突出部１０８は、埋め込まれ部１０４（吊り金具本体）から斜め上方向へ突出している。
【００５１】
また、レール３２とレール内遮炎金具３３には、図５に示すように、それぞれ切り欠き３２ｅ、３３ａが設けられており、斜め上方向へ突出した突出部１０８が双方の切り欠き３２ｅ、３３ａを貫通している。そして、このことにより、レール内遮炎金具３３は、中空凸部２２（レール３２）の外部に設けられた支持部材（つまり、上枠用吊り金具３４）により支持されることとなっている。
【００５２】
そして、かかる構成により、以下のメリットが生ずる。すなわち、従来は、中空凸部２２（レール３２）の中空内部３２ｄにレール内遮炎金具３３を設ける際に、当該中空内部３２ｄにおいてレール内遮炎金具３３をネジ止めしていた。すなわち、レール内遮炎金具３３は、中空凸部２２（レール３２）内のネジにより支持されていた。そして、このような場合には、中空凸部２２（レール３２）内の狭いスペースにおける作業が必要となるため、作業性が悪かった。
【００５３】
これに対し、本実施の形態においては、レール内遮炎金具３３が中空凸部２２（レール３２）の外部に設けられた支持部材（つまり、上枠用吊り金具３４）により支持されるため、狭いスペースにおける前記作業が必要なくなる。そのため、レール内遮炎金具３３の設置作業が容易化されることとなる。
【００５４】
また、本実施の形態においては、中空凸部２２（レール３２）の外部に設けられた支持部材として、レール内遮炎金具３３を支持するための支持専用部材ではなく、上枠用吊り金具３４を流用することとした。すなわち、上枠用吊り金具３４に、障子４０を吊り下げる機能だけでなく、レール内遮炎金具３３を支持する機能も持たせることとした。
【００５５】
そのため、前記支持専用部材を省略することが可能となり、コストメリットが生ずることとなる。
【００５６】
また、本実施の形態に係る突出部１０８は、埋め込まれ部１０４（吊り金具本体）から斜め上方向へ突出し、かつ、中空凸部２２（レール３２）の外部から中空凸部２２（レール３２）を貫通して中空内部３２ｄへと至ってレール内遮炎金具３３と係合する。
【００５７】
そして、突出部１０８がこのような構成（特に、斜め上方向へ向いた構成）を備えているため、中空凸部２２（レール３２）が火災に晒されて溶融し、レール内遮炎金具３３に重力方向（下方向）の力がかかったとしても、突出部１０８がレール内遮炎金具３３を適切に受け止めるため、落下を防止することが可能となる。
次に、ヒレ部３７について説明する。
【００５８】
縦枠３５は、縦枠本体３５ａと、当該縦枠本体３５ａから突き出た中空のヒレ部３７と、を備えている。そして、当該ヒレ部３７は、図２に示すように、障子４０の戸先框５６に入りこむように当該戸先框５６に向かって左右方向（外側から内側へ向かう方向）へ突出している。そして、このことにより、障子４０が閉まった際に、ヒレ部３７と戸先框５６とがオーバーラップし、ヒレ部３７は、戸先框５６と協働して、双方の間における風の通過を遮断する役割を果たす。このヒレ部３７は、縦枠３５の上下方向における一端（上端）から他端（下端）に亘って設けられている。また、ヒレ部３７の鉛直断面は、左右方向の辺が見込み方向の辺よりも長い矩形形状を備えている（左右方向の辺が長辺となっており、見込み方向の辺が短辺となっている）。
【００５９】
なお、ヒレ部３７は、外障子４０ａ及び内障子４０ｂの各々に対応して２つ設けられている。すなわち、外障子４０ａと係合する外障子用ヒレ部３７ａと内障子４０ｂと係合する内障子用ヒレ部３７ｂとが備えられている。外障子用ヒレ部３７ａは、室外側に、内障子用ヒレ部３７ｂは、室内側に、それぞれ位置している。
【００６０】
また、ヒレ部３７（中空凸部２２）の中空内部３７ｄには、不燃性または難燃性の遮炎部材の一例としてのヒレ部内遮炎金具３８が設けられている。このヒレ部内遮炎金具３８は、金属製（アルミニウム製）の金具であり、火災の際に火炎を遮る機能を備えると共に、ヒレ部３７の内部においてヒレ部３７を補強する役割も果たす。
【００６１】
このヒレ部内遮炎金具３８は、ヒレ部３７（縦枠３５）の上下方向における一端（上端）から他端（下端）に亘って設けられている。
【００６２】
また、ヒレ部内遮炎金具３８の鉛直断面は、図２に示すように、コの字型を有している。そして、当該鉛直断面の長手方向が、左右方向（換言すれば、ヒレ部３７の長辺の方向）に沿った状態で、ヒレ部内遮炎金具３８はヒレ部３７内に収容されている。
【００６３】
なお、図２に示すように、ヒレ部内遮炎金具３８は、外障子用ヒレ部３７ａと内障子用ヒレ部３７ｂの各々に設けられている。
【００６４】
また、ヒレ部内遮炎金具３８は、支持部材により支持されているが、この点については、後に詳述する。
【００６５】
また、ヒレ部３７の鉛直外面３７ｃ（つまり、ヒレ部３７の外側の鉛直面）には、ヒレ部内遮炎金具３８とは別の遮炎金具（ヒレ部外遮炎金具３９と呼ぶ）が対向し、かかる対向状態でヒレ部外遮炎金具３９が縦枠３５（具体的には、縦枠本体３５ａ）に固定されている。なお、このヒレ部外遮炎金具３９も、金属製（アルミニウム製）の金具である。また、このヒレ部外遮炎金具３９は、ヒレ部３７（縦枠３５）の上下方向における一端（上端）から他端（下端）に亘って設けられている。また、ヒレ部外遮炎金具３９の見込み方向における両側には、前述した加熱発泡材７０が設けられている。
【００６６】
ヒレ部外遮炎金具３９は、図２に示すように、被固定部１１２と、対向部１１４と、突出部１１６と、を有している。
【００６７】
被固定部１１２は、ヒレ部外遮炎金具３９が固定される（取り付けられる）薄板状部分である。この被固定部１１２は、その面外方向が左右方向に沿った状態で縦枠本体３５ａと接触している。そして、被固定部１１２は、この状態で縦枠本体３５ａにネジによりネジ止め（ネジ固定）されている。
【００６８】
ここで、ヒレ部外遮炎金具３９の中には、外障子対応ヒレ部外金具３９ａと内障子対応ヒレ部外金具３９ｂがあるが、双方で固定の方法が若干異なっている。
【００６９】
外障子対応ヒレ部外金具３９ａについて、先ず説明する。
【００７０】
図２に示すように、縦枠本体３５ａにも、不燃性又は難燃性の補強部材の一例としての遮炎金具（本体内遮炎金具３６と呼ぶ）が設けられている。すなわち、上枠縦枠本体３５ａには、ヒレ部３７と同様、中空部分が備えられており、この中空部分にも、ヒレ部３７と同様、本体内遮炎金具３６が設けられている。そして、外障子対応ヒレ部外金具３９ａの被固定部１１２は、縦枠本体３５ａに第一ネジ８０によりネジ止めされているが、同時に本体内遮炎金具３６にも当該第一ネジ８０によりネジ止めされている。つまり、外障子対応ヒレ部外金具３９ａは、本体内遮炎金具３６に連結されている。
【００７１】
そして、本体内遮炎金具３６は、躯体９０に第二ネジ８２によりネジ止めされている（躯体９０に保持されている）。このように、外障子対応ヒレ部外金具３９ａは、縦枠本体３５ａに固定されると共に、本体内遮炎金具３６を介して躯体９０にも固定されている。このように、ヒレ部外遮炎金具３９を縦枠本体３５ａだけでなく躯体９０にも固定するようにしたのは、火災の際に樹脂製の枠体２０が火炎に晒されて溶融しても、ヒレ部外遮炎金具３９が外れず、ヒレ部外遮炎金具３９の機能が損なわれないようにするためである。
【００７２】
なお、本実施の形態に係る本体内遮炎金具３６は、第一本体内遮炎金具３６ａと第二本体内遮炎金具３６ｂに分かれている。そして、双方は、第三ネジ８４で連結されている。
【００７３】
一方、内障子対応ヒレ部外金具３９ｂは、外障子対応ヒレ部外金具３９ａと同様、縦枠本体３５ａに固定されると共に、躯体９０にも固定されているが、外障子対応ヒレ部外金具３９ａとは異なり、本体内遮炎金具３６を介さずに、直接躯体９０に固定されている。つまり、内障子対応ヒレ部外金具３９ｂは、躯体９０に連結されている。
【００７４】
すなわち、図２に示すように、内障子対応ヒレ部外金具３９ｂの被固定部１１２は、縦枠本体３５ａに第四ネジ８６によりネジ止めされているが、第四ネジ８６よりも長い別の第五ネジ８８により躯体９０にも直接的にネジ止めされている。このように、内障子対応ヒレ部外金具３９ｂについては、内障子対応ヒレ部外金具３９ｂが躯体９０から近い位置にあることを利用して、躯体９０に直接固定するようにしたため、内障子対応ヒレ部外金具３９ｂがより一層外れにくくなり、内障子対応ヒレ部外金具３９ｂの機能をより確実に発揮させることが可能となる。
【００７５】
対向部１１４は、ヒレ部３７と対向する（より具体的には、ヒレ部３７の鉛直外面３７ｃと対向する）薄板状部分である。この対向部１１４は、前記被固定部１１２と隣接し、かつ、前記被固定部１１２とは略９０度の角度を成した状態で被固定部１１２よりも内側に位置している。この対向部１１４は、その面外方向が見込み方向に沿った状態で鉛直外面３７ｃと対向している。
【００７６】
突出部１１６は、ヒレ部内遮炎金具３８を支持するための薄板状部分である。この突出部１１６は、ヒレ部内遮炎金具３８を適切に支持するために、中空凸部２２（ヒレ部３７）に挿入されてヒレ部内遮炎金具３８と係合する。図２に示すように、この突出部１１６は、対向部１１４（遮炎金具本体）から斜め内側方向へ突出している。
【００７７】
また、ヒレ部３７とヒレ部内遮炎金具３８には、それぞれ切り欠きが設けられており、斜め内側方向へ突出した突出部１１６が双方の切り欠きを貫通している。そして、このことにより、ヒレ部内遮炎金具３８は、中空凸部２２（ヒレ部３７）の外部に設けられた支持部材（つまり、ヒレ部外遮炎金具３９）により支持されることとなっている。
【００７８】
そして、かかる構成により、以下のメリットが生ずる。すなわち、従来は、中空凸部２２（ヒレ部３７）の中空内部３７ｄにヒレ部内遮炎金具３８を設ける際に、当該中空内部３７ｄにおいてヒレ部内遮炎金具３８をネジ止めしていた。すなわち、ヒレ部内遮炎金具３８は、中空凸部２２（ヒレ部３７）内のネジにより支持されていた。そして、このような場合には、中空凸部２２（ヒレ部３７）内の狭いスペースにおける作業が必要となるため、作業性が悪かった。
【００７９】
これに対し、本実施の形態においては、ヒレ部内遮炎金具３８が中空凸部２２（ヒレ部３７）の外部に設けられた支持部材（つまり、ヒレ部外遮炎金具３９）により支持されるため、狭いスペースにおける前記作業が必要なくなる。そのため、ヒレ部内遮炎金具３８の設置作業が容易化されることとなる。
【００８０】
＜＜＜障子４０について＞＞＞
障子４０は、枠体２０により形成された前記開口に収容される部材であり、外障子４０ａ及び内障子４０ｂを備える。すなわち、障子４０は、開口枠である枠体２０に対してスライド可能に設けられる。
【００８１】
障子４０は、合成樹脂製の框体５０と、ガラス４２と、を有している。
【００８２】
框体５０は、上框５２（図１参照）と、下框（不図示）と、戸先框５６（図２参照）と、召し合せ框５８（図２参照）と、を備えている。そして、框体５０は、これら４つの框体が矩形状に枠組みされて、全体として開口を形成している。そして、この開口に、ガラス４２が取り付けられている。上框５２と下框は、左右方向に延びた長尺状の部材であり、戸先框５６と召し合せ框５８は、上下方向に延びた長尺状の部材である。
【００８３】
上框５２には、図１に示すように、上框５２に向かって突き出た前記中空凸部２２（すなわち、レール３２）が入り込む凹部（以下、上框溝部５３と呼ぶ）が備えられている。そして、この上框溝部５３にレール３２が入り込んだ状態で、レール３２が障子４０を案内するようになっている。なお、上框５２とガラス４２の間や上框溝部５３の中にも、前述した加熱発泡材７０が設けられている。
【００８４】
この上框溝部５３は、上框５２の左右方向における一端（左端）から他端（右端）に亘って設けられている。また、上框溝部５３は、外障子４０ａ及び内障子４０ｂの各々に対応して２つ設けられている。
【００８５】
また、上框溝部５３の中には、障子吊り金具の一例としての上框用吊り金具５４が備えられている。この上框用吊り金具５４は、前述した上枠用吊り金具３４と協働して、火災の際に枠体２０や障子４０の樹脂部分が火炎に晒されて溶融しても障子４０が倒れない（崩落しない）ようにするためのものである。すなわち、当該樹脂部分が溶融した際に、上枠用吊り金具３４が、上框用吊り金具５４に係合する（引っかかる）ようになっており、このことにより、障子４０が適切に吊り下げられるようになっている。
【００８６】
また、この上框用吊り金具５４は、前述した上枠用吊り金具３４とは異なり、上框５２の左右方向における一端（左端）から他端（右端）に亘って設けられている。換言すれば、上框溝部５３の左右方向における一端（左端）から他端（右端）に亘って収容されている。また、この上框用吊り金具５４は、金属製（ステンレス製）の金具である。そのため、上框用吊り金具５４は、遮炎部材かつ補強材としての機能も備えている。
【００８７】
上框用吊り金具５４は、図１に示すように、上框用吊り金具本体１２２と、障子吊り金具フック部の一例としてのフック部１２４と、を有している。
【００８８】
上框用吊り金具本体１２２は、上框溝部５３と接触又は対向する薄板状部分である。上框用吊り金具本体１２２は、上框溝部５３の２つの側面とそれぞれ対向する２つの鉛直面と上框溝部５３の底面と接触する水平面（合計で三面）を有している。そして、上框用吊り金具本体１２２は、かかる状態で、当該水平面が当該底面にネジによりネジ止め（ネジ固定）されている。
【００８９】
フック部１２４は、前述した上枠用吊り金具３４のフック部１０６に係合する（引っかかる）下方に開放した薄板状部分である。このフック部１２４は、前記上框用吊り金具本体１２２の室内側の鉛直面と隣接し、かつ、当該室内側の鉛直面とは略９０度の角度を成した状態で当該室内側の鉛直面よりも室外側に位置している。
【００９０】
フック部１２４は、面外方向（つまり、上部１２４ａの面外方向）が上下方向に沿った上部１２４ａ、及び、当該上部１２４ａより連続して形成され、下方に垂れ下がる、垂れ下がり片１２４ｂ（すなわち、垂れ下がり片１２４ｂは、上部１２４ａを下方へ折り曲げた、面外方向（つまり、垂れ下がり片１２４ｂの面外方向）が見込み方向に沿った折り曲げ部分である）を備えている。なお、本実施の形態においては、図１に示すように、上部１２４ａが、面外方向が上下方向に沿った平面状の部分となっているが、これに限定されるものではなく、例えば、曲面状の部分であってもよい。
【００９１】
そして、図１に示すように、上框用吊り金具５４の上部１２４ａは、上枠用吊り金具３４の底部１０６ａよりも上方に位置し、かつ、上框用吊り金具５４の垂れ下がり片１２４ｂは、上枠用吊り金具３４の立ち上がり片１０６ｂよりも室外側に位置している。さらに、立ち上がり片１０６ｂは、上部１２４ａと上下方向において対向し、垂れ下がり片１２４ｂは、底部１０６ａと上下方向において対向する。そのため、上枠用吊り金具３４が、適切に、上框用吊り金具５４に引っかかるようになっている。
【００９２】
なお、上框用吊り金具５４は、上框５２の左右方向における一端（左端）から他端（右端）に亘って設けられていることを既に述べたが、フック部１２４については例外となっている。つまり、上框用吊り金具本体１２２は、上框５２の左右方向における一端（左端）から他端（右端）に亘って設けられているが、フック部１２４は、上框５２の一端部と他端部に対応した位置のみに設けられている。
【００９３】
そのため、障子４０が閉まった状態において、上框用吊り金具５４のフック部１２４は、上枠用吊り金具３４と対向する。つまり、この状態において、フック部１２４の左右方向における位置が、上枠用吊り金具３４の左右方向における位置と同じ位置になる。
【００９４】
一方で、障子４０が閉まった状態から障子４０を移動させると、フック部１２４の左右方向における位置が上枠用吊り金具３４の左右方向における位置と異なる位置となり、当該フック部１２４は、上枠用吊り金具３４ではなく、レール３２の鉛直外面３２ｃと対向するようになる。
【００９５】
また、図１に示すように、フック部１２４には、プラスチック製の樹脂片９２がフック部１２４を覆うように取り付けられている。この樹脂片９２は、障子４０が移動する際に、金属製のフック部１２４の代わりに、上枠用吊り金具３４や鉛直外面３２ｃと摺動する。したがって、樹脂、金属間又は樹脂、樹脂間の摺動となるため、適切な摺動動作が実現されることとなる。
【００９６】
また、戸先框５６には、図２に示すように、戸先框５６に向かって突き出た前記中空凸部２２（すなわち、ヒレ部３７）が入り込む凹部（以下、戸先框溝部５７と呼ぶ）が備えられている。そして、この戸先框溝部５７にヒレ部３７が入り込んだ状態で、風の通過を遮断する役割を果たす。なお、戸先框５６とガラス４２の間や戸先框溝部５７の中にも、前述した加熱発泡材７０が設けられている。
【００９７】
この戸先框溝部５７は、戸先框５６の上下方向における一端（上端）から他端（下端）に亘って設けられている。また、戸先框溝部５７は、外障子４０ａ及び内障子４０ｂの各々に対応して２つ設けられている。
【００９８】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【符号の説明】
【００９９】
１０  樹脂製建具
２０  枠体、２０ａ  枠体本体
２２  中空凸部
３０  上枠、３０ａ  上枠本体
３２  レール、３２ａ  外障子用レール、３２ｂ  内障子用レール
３２ｃ  鉛直外面、３２ｄ  中空内部、３２ｅ  切り欠き
３３  レール内遮炎金具
３４  上枠用吊り金具、３４ａ  外障子対応吊り金具、３４ｂ  内障子対応吊り金具
４０  障子、４０ａ  外障子、４０ｂ  内障子
５０  框体、５２  上框
５４  上框用吊り金具
１０４  埋め込まれ部
１０６  フック部、１０６ａ  底部、１０６ｂ  立ち上がり片
１０８  突出部
１２４  フック部、１２４ａ  上部、１２４ｂ  垂れ下がり片
【図１】
2015197008.tif 000003
【図２】
2015197008.tif 000004
【図３】
2015197008.tif 000005
【図４】
2015197008.tif 000006
【図５】
2015197008.tif 000007